(57)【要約】      （修正有）【課題】積荷の積み付け作業の効率化や、積荷の輸送効率の向上を図るとともに、輸送用架台の台部の重量を低減すること、さらには作業の安全性を向上させることが可能な輸送用架台を提供する。【解決手段】輸送用架台１は、複数の長尺状部材が格子状に組み合わされて構成された台部２を備え、台部２の長手方向に沿う側端部領域には、補強材９が台部２の中間部領域の長尺状部材よりも多く配置され、台部２の長手方向に沿う側端部領域における剛性が、台部２の中間部領域の剛性よりも高い構成を有する。【選択図】図３
0003210241.tif 000002
【実用新案登録請求の範囲】
【請求項１】
複数の長尺状部材が格子状に組み合わされて構成された台部を備え、
前記台部の長手方向に沿う側端部領域には、前記台部の中間部領域よりも長尺状部材が多く配置され、
前記台部の長手方向に沿う側端部領域における剛性が、前記台部の中間部領域の剛性よりも高い構成を有することを特徴とする輸送用架台。
【請求項２】
前記台部は複数からなり、
前記台部の側端部で接続され、前記台部に対して垂直方向に設置される柱部を備え、
前記複数の台部が鉛直上下方向に積層され、
前記複数の台部のうち一の前記台部の下面は、他の前記台部に設置された前記柱部の鉛直上部側の一端と接続されて、
前記台部は、前記柱部と接続される前記台部の側端部領域における剛性が、前記台部の中間部領域の剛性よりも高い構成を有することを特徴とする請求項１に記載の輸送用架台。
【請求項３】
前記台部の側端部領域には、互いに直交する２本の長尺部材の接続部分近傍において少なくとも一つの板状部材が設けられていることを特徴とする請求項１又は２に記載の輸送用架台。
【請求項４】
前記台部と前記柱部の一方に凸部、他方に前記凸部が挿入される凹部が設けられていることを特徴とする請求項２に記載の輸送用架台。
【請求項５】
前記凹部は、前記台部において、前記台部の一の側辺よりも外側に設けられていることを特徴とする請求項４に記載の輸送用架台。
【請求項６】
前記凸部は、先端側に向けて先細りのテーパー形状を有することと、前記凹部は開口側が広いテーパー形状を有することの少なくともいずれか一方を有することを特徴とする請求項４又は５に記載の輸送用架台。
【請求項７】
前記台部と前記柱部のそれぞれに対して斜め方向に設けられ、前記台部と前記柱部とに結合される斜材を更に備えることを特徴とする請求項２に記載の輸送用架台。
【請求項８】
前記台部の一の側辺に対して平行に設けられる一の前記斜材と、前記一の側辺に直交する他の側辺に対して平行に設けられる他の前記斜材とを有することを特徴とする請求項７に記載の輸送用架台。
【請求項９】
前記斜材は、一端側が前記台部又は前記柱部に対して着脱可能であり、他端側が前記柱部又は前記台部に対して回動可能であることを特徴とする請求項７又は８に記載の輸送用架台。
【請求項１０】
前記台部には、前記長手方向に沿う一の側辺において４箇所以上に吊り金具が設けられていることを特徴とする請求項１又は２に記載の輸送用架台。
【請求項１１】
前記台部に載置される積荷を載置しないとき、前記複数の台部が、前記柱部と接続されずに鉛直上下方向に直接積み重ねて積層された状態とされ、
前記複数の台部のうち鉛直下方に位置する前記台部には鉛直上方に突出した位置決めピンが設置され、
前記台部の鉛直上方に直接積層される他の前記台部の下面には、前記位置決めピンが挿入されるピン用穴が形成されていることを特徴とする請求項２に記載の輸送用架台。
【請求項１２】
前記位置決めピンは、前記台部において複数本設置され、複数本の前記位置決めピンのうち１本が他の前記位置決めピンよりも長いことを特徴とする請求項１１に記載の輸送用架台。
【請求項１３】
前記位置決めピンは、先端側に向けて先細りのテーパー形状を有することと、前記ピン用穴は、開口側が広いテーパー形状を有することの少なくともいずれか一方を有することを特徴とする請求項１１又は１２に記載の輸送用架台。
【請求項１４】
前記位置決めピンの鉛直上方には、開閉可能なカバー部が設置され、前記台部の鉛直上側に他の前記台部が積層されていないときは、前記カバー部が閉鎖可能であり、前記カバー部は、前記位置決めピンを覆うように設けられることを特徴とする請求項１１又は１２に記載の輸送用架台。
【請求項１５】
前記台部は、一の側辺が、前記一の側辺に直交する他の側辺よりも長く、
前記他の側辺は、車輌の荷台の両側辺部に設置された床フックに干渉しない長さであり、前記一の側辺が前記荷台の長手方向長さより短い長さであることを特徴とする請求項１又は２に記載の輸送用架台。
【請求項１６】
前記台部は、一の側辺が、前記一の側辺に直交する他の側辺よりも長く、前記一の側辺は、貨物輸送用船舶の収容室の幅よりも短い長さであることを特徴とする請求項１又は２に記載の輸送用架台。
【請求項１７】
前記柱部には前記柱部を前記台部に接続する際に、作業者が把持可能な取っ手部が設けられていることを特徴とする請求項２に記載の輸送用架台。
【請求項１８】
前記柱部は、前記柱部の一端が前記台部に対して回動可能に接続されていることを特徴とする請求項２に記載の輸送用架台。
【請求項１９】
前記柱部は、異なる長さの種類のうち一つの種類が選択されていることを特徴とする請求項２に記載の輸送用架台。
【考案の詳細な説明】
【技術分野】
【０００１】
本考案は、資材等の輸送に使用される輸送用架台に関するものである。
【背景技術】
【０００２】
例えば、火力発電プラントの建設資材である配管や機器類等は、工場で製作された後、トラック（車輛）や船舶等の輸送手段によって、建設現地等へ輸送される。陸上輸送では、１０ｔトラックやセミトレーラ等が使用され、建設資材は、工場でトラック等に直接積み付けられ、固縛されて輸送されている。また、船舶輸送では、建設資材が固縛されて、船舶内に搬入され、平積みに積み付けられている。さらに、輸送された建設資材は、建設現地等で積み下ろされ、直に平積みで保管されている。なお、積み付けとは、種々の建設資材を輸送手段の荷台に並べて配置することである。
【０００３】
下記の特許文献１では、輸送手段の荷台上に第一の積荷（例えば長尺の梁、トラス等）を積載し、第一の積荷をまたぐ形で架台を輸送手段の積荷上に載置し、この上に、第二の積荷（例えば外装残材）を積載したコンテナを載置して、積荷を輸送することが記載されている。下記の特許文献２では、台フレーム及び垂直フレームからなる架台フレームと、台フレームへ着脱可能に取り付けられる資材受けフレームとを備える輸送用架台が記載されている。この輸送用架台は、垂直フレームの上端と下端のいずれか一方に凹溝が設けられ、他方に突起が設けられることによって、架台フレームを二段以上に積み上げ可能としている。
【先行技術文献】
【特許文献】
【０００４】
【特許文献１】特許第３２８８８５１号公報
【特許文献２】特許第３５３３２５９号公報
【考案の概要】
【考案が解決しようとする課題】
【０００５】
従来、陸上輸送の場合、建設資材は、トラック等に直接積み付けられていることから、工場にトラック等の輸送手段が到着するまで、積み付けができない。そのため、輸送工程の時間短縮のために、極力短時間で積み付けを実施する必要がある。また、トラック等が到着してから積み付けをすぐに開始できるよう、作業員を待機させておく必要があり、無駄な時間が生じる場合がある。さらに、積み付けは、トラック等の荷台上で建設資材の配置、固縛等を行うなどある程度長い作業時間がかかり、また輸送後も固縛を外して積み下ろしをするため、輸送工程にかかる時間として、実際の移動時間に積み付け作業と積み下ろしの時間を加算して予め確保しておく必要がある。上記の積み付け作業・積み下ろし作業の際、多くの建設資材を限られた荷台スペース上に載せようとすると、荷台スペース上において足場に余裕が少なくなり、高所作業に対する安全対策に関する追加作業が発生していた。
【０００６】
また、陸上輸送では、荷台の両サイドに、積荷を支持するためのスタンション（支持棒）が設置されていない車両が多いため、積み付け可能な荷物の高さが制限される。さらに、船舶輸送において、積荷が平積みの状態では、高さのある船舶内の収納スペースに対して上部空間の空きスペースが多くなり、輸送効率が低くなる。
またさらに、建設資材は、工場や現地では、輸送前の積み付けと輸送後の積み下ろしの際、直に平積みで保管されているため、建設用資材の保管用スペースを広く確保しておく必要がある。
【０００７】
本考案は、積荷の積み付け作業の効率化や、積荷の輸送効率の向上を図るとともに、輸送用架台の台部の重量を低減すること、さらには作業の安全性を向上させることが可能な輸送用架台を提供することを目的とする。
【課題を解決するための手段】
【０００８】
上記課題を解決するために、本考案の輸送用架台は以下の手段を採用する。
すなわち、本考案の第１態様に係る輸送用架台は、複数の長尺状部材が格子状に組み合わされて構成された台部を備え、前記台部の長手方向に沿う側端部領域には、前記台部の中間部領域よりも長尺状部材が多く配置され、前記台部の長手方向に沿う側端部領域における剛性が、前記台部の中間部領域の剛性よりも高い構成を有することを特徴とする。
【０００９】
この構成によれば、格子状に組み合わされた長尺状部材によって台部が構成されていることから、輸送用架台全体の強度を確保しつつ重量の軽量化を図ることができる。また、長尺状部材がより多く配置されている台部の長手方向に沿う端部領域における剛性が、台部の中間部領域の剛性よりも高くなる。これにより、台部の撓み量を低減できるので、台部の部材の板厚などサイズを下げて軽量化が可能となる。
【００１０】
上記第１態様において、前記台部は複数からなり、前記台部の側端部で接続され、前記台部に対して垂直方向に設置される柱部を備え、前記複数の台部が鉛直上下方向に積層され、前記複数の台部のうち一の前記台部の下面は、他の前記台部に設置された前記柱部の鉛直上部側の一端と接続されて、前記台部は、前記柱部と接続される前記台部の側端部領域における剛性が、前記台部の中間部領域の剛性よりも高い構成を有してもよい。
【００１１】
この構成によれば、複数の台部の一の台部と他の台部が鉛直上下方向に積層されることから、積荷量を増加させることができる。鉛直下方の台部と鉛直上方の台部の間は柱部によって接続されており、台部において、柱部と接続される台部の側端部領域における剛性が、台部の中間部の剛性よりも高い。これにより、比較的重量の大きい積荷を積載した場合でも台部の撓み量を低減できるので、台部の部材の板厚などサイズを下げて軽量化が可能となる。また、複数の台部を鉛直上下方向に積層して積荷を輸送する場合に、鉛直上方の台部の自重と台部に載置される積荷の荷重を、柱部を介して鉛直下方の台部の側端部領域で支持するため、荷重がかかる領域の剛性をより高めることができる。台部と柱部とは着脱可能に接続されていることから、積荷を輸送するときには、鉛直下方の台部と鉛直上方の台部の間に柱部を接続して、複数層の台部に積荷を載置できる。また、輸送しないときや輸送終了後に搬送用架台を回送するときには、柱部を取り外して全体の高さが低い状態で複数の台部を積み重ねることで、効率的に保管することができ、複数の輸送用架台を纏めて回送することができる。
【００１２】
上記第１態様において、前記台部の側端部領域には、互いに直交する２本の長尺部材の接続部分近傍において少なくとも一つの板状部材が設けられてもよい。
この構成によれば、板状部材が配置されている台部の端部領域における剛性が、台部の中間部領域の剛性よりも高くなる。また、板状部材を設けることで、台部の上面にベニヤ板等の板材を載置することができ、台部への積荷が容易になる。
【００１３】
上記第１態様において、前記台部と前記柱部の一方に凸部、他方に前記凸部が挿入される凹部が設けられてもよい。
この構成によれば、凹部に対して凸部が挿入されることで、台部と柱部とが互いに容易に接続される。
【００１４】
上記第１態様において、前記凹部は、前記台部において、前記台部の一の側辺よりも外側に設けられてもよい。
この構成によれば、台部の内側に柱部が設けられることがなく、積荷を載置する積み付けスペースを広く利用できる。
【００１５】
上記第１態様において、前記凸部は、先端側に向けて先細りのテーパー形状を有することと、前記凹部は開口側が広いテーパー形状を有することの少なくともいずれか一方を有してもよい。
この構成によれば、台部に対して柱部を鉛直方向に挿入するときの位置合わせが容易になる。
【００１６】
上記第１態様において、前記台部と前記柱部のそれぞれに対して斜め方向に設けられ、前記台部と前記柱部とに結合される斜材を更に備えてもよい。
この構成によれば、輸送時に生じる振動による台部のブレを防止して、複数の台部を鉛直上下方向に積層して積荷を輸送する場合でも台部同士を確実に固定できる。
【００１７】
上記第１態様において、前記台部の一の側辺に対して平行に設けられる一の前記斜材と、前記一の側辺に直交する他の側辺に対して平行に設けられる他の前記斜材とを有してもよい。
この構成によれば、一の斜材と他の斜材が互いに直交する方向に設置されることにより、輸送時に生じる振動による台部のブレをより確実に防止できる。
【００１８】
上記第１態様において、前記斜材は、一端側が前記台部又は前記柱部に対して着脱可能であり、他端側が前記柱部又は前記台部に対して回動可能でもよい。
この構成によれば、斜材の着脱作業が不要になり、台部と柱部の組立作業の効率化を図ることができる。また、斜材を取り外さないので斜材の別保管も不要となる。
【００１９】
上記第１態様において、前記台部には、前記長手方向に沿う一の側辺において４箇所以上に吊り金具が設けられてもよい。
この構成によれば、吊り金具に設置されたワイヤを用いて、台部をクレーン等の楊重装置によって吊り上げる際、積荷状態によって吊り金具とワイヤにより吊り重心を適宜調整することができる。
【００２０】
上記第１態様において、前記台部に載置される積荷を載置しないとき、前記複数の台部が、前記柱部と接続されずに鉛直上下方向に直接積み重ねて積層された状態とされ、前記複数の台部のうち鉛直下方に位置する前記台部には鉛直上方に突出した位置決めピンが設置され、前記台部の鉛直上方に直接積層される他の前記台部の下面には、前記位置決めピンが挿入されるピン用穴が形成されてもよい。
この構成によれば、積荷を載置しない回送のときにおいても、複数の台部を積み重ねて纏めて輸送できるため、台部の輸送回数を低減して、輸送効率を向上させることができる。また、複数の台部を直接に積み重ねて積層する際、台部の位置決めを容易に行うことができ、かつ、複数の台部が互いに固定されて位置ずれを防止できる。
【００２１】
上記第１態様において、前記位置決めピンは、前記台部において複数本設置され、複数本の前記位置決めピンのうち１本が他の前記位置決めピンよりも長くてもよい。
この構成によれば、位置決めピンが全て同じ長さを有する場合に比べて、積み重ね作業の際の最初の位置合わせが容易になる。
【００２２】
上記第１態様において、前記位置決めピンは、先端側に向けて先細りのテーパー形状を有することと、前記ピン用穴は、開口側が広いテーパー形状を有することの少なくともいずれか一方を有してもよい。
この構成によれば、複数の台部を積層する際、ピン用穴に対して位置決めピンを挿入するときの位置合わせが容易になる。
【００２３】
上記第１態様において、前記位置決めピンの鉛直上方には、開閉可能なカバー部が設置され、前記台部の鉛直上側に他の前記台部が積層されていないときは、前記カバー部が閉鎖可能であり、前記カバー部は、前記位置決めピンを覆うように設けられてもよい。
この構成によれば、台部の近傍で作業や歩行している作業者等が、位置決めピンの先端に誤って触れてしまい負傷するおそれを低減できる。
【００２４】
上記第１態様において、前記台部は、一の側辺が、前記一の側辺に直交する他の側辺よりも長く、前記他の側辺は、車輌の荷台の両側辺部に設置された床フックに干渉しない長さであり、前記一の側辺が前記荷台の長手方向長さより短い長さでもよい。
この構成によれば、台部が車輌の荷台の両側辺部に設置された床フックに干渉しないように、台部が車輛の荷台に積載され、床フックとの固縛作業が容易になる。
【００２５】
上記第１態様において、前記台部は、一の側辺が、前記一の側辺に直交する他の側辺よりも長く、前記一の側辺は、貨物輸送用船舶の収容室の幅よりも短い長さでもよい。
この構成によれば、台部の長手方向が貨物輸送用船舶の収容室の幅方向に対して平行になるように配置され、貨物輸送用船舶の収容室への積載効率を向上し、空きスペースを低減できる。
【００２６】
上記第１態様において、前記柱部には前記柱部を前記台部に接続する際に、作業者が把持可能な取っ手部が設けられてもよい。
この構成によれば、作業者が柱部を容易に運搬したり取り扱うことが可能になる。
【００２７】
上記第１態様において、前記柱部は、前記柱部の一端が前記台部に対して回動可能に接続されてもよい。
この構成によれば、台部から柱部の着脱作業が不要になり、作業の効率化を図ることができる。また、柱部を取り外さないので、柱部の別保管も不要となる。
【００２８】
上記第１態様において、前記柱部は、異なる長さの種類のうち一つの種類が選択されてもよい。
この構成によれば、柱部は、予め長さの異なる種類のものが用意されることになるため、鉛直上方に設置される台部と鉛直下方に設置される台部の間の高さ距離が限定されないので、台部の間の高さ距離を積荷の高さや積載方法等に応じて調整することができ、搬送用架台のより効率的な運用が可能となる。
【考案の効果】
【００２９】
本考案によれば、積荷の積み付け作業の効率化や、積荷の輸送効率の向上を図ることができるとともに、輸送用架台の台部の重量を低減し、積み付け作業や積み下ろし作業の安全性をより向上することができる。
【図面の簡単な説明】
【００３０】
【図１】本考案の一実施形態に係る輸送用架台を示す側面図である。
【図２】本考案の一実施形態に係る輸送用架台を示す正面図である。
【図３】本考案の一実施形態に係る輸送用架台を示す平面図である。
【図４】本考案の一実施形態に係る輸送用架台の柱部及び斜材を示す正面図である。
【図５】本考案の一実施形態に係る輸送用架台の柱部及び斜材を示す正面図である。
【図６】本考案の一実施形態に係る輸送用架台の柱部及び斜材を示す平面図である。
【図７】本考案の一実施形態に係る輸送用架台の柱部差込口を示す平面図である。
【図８】本考案の一実施形態に係る輸送用架台の柱部差込口を示す正面図である。
【図９】本考案の一実施形態に係る輸送用架台のストッパーを示す正面図である。
【図１０】本考案の一実施形態に係る輸送用架台と、輸送用架台が載置された車輛を示す平面図である。
【図１１】本考案の一実施形態に係る輸送用架台と、輸送用架台が載置された船舶を示す平面図である。
【考案を実施するための形態】
【００３１】
以下に、本考案に係る実施形態について、図面を参照して説明する。
本考案の一実施形態に係る輸送用架台１は、図１から図３に示すように、複数段に積層可能な台部２を有し、各台部２の上に配管等の建設資材を積み付けることが可能である。台部２に載置される建設資材は、例えば、火力発電プラント等の建設資材であり、タービン等に接続される配管や継手などである。輸送用架台１は、トラックやトレーラー等の車輌や船舶等の輸送手段に積載することが可能であり、例えばトラック（車輛）の荷台に載置されたり、船舶の収納室に載置されたりする。
【００３２】
輸送用架台１は、台部２と、柱部３と、斜材４などを備える。台部２を平面視したときの台部２の形状は、長方形であり、台部２は、複数の長尺状部材が格子状に組み合わされて構成される。これにより、輸送用架台１の強度を確保しつつ、輸送用架台１全体の重量の軽量化を図ることができる。台部２は、長手方向の一の側辺に沿って設けられる第１長尺材５と、一の側辺に直交する幅方向の他の側辺に沿って設けられる第２長尺材６によって、長方形状が構成される。
【００３３】
第１長尺材５及び第２長尺材６は、例えば、断面がコ字形状やＨ形状を有する溝形鋼である。また、第１長尺材５は、２本が互いに平行に配置され、第２長尺材６は、２本が互いに平行に配置される。第１長尺材５及び第２長尺材６は、第１長尺材５の端部と第２長尺材６の端部が溶接によって接合されている。
【００３４】
２本の第１長尺材５の間に、第１長尺材５に対して直交する方向、すなわち第２長尺材６に対して平行方向に複数本の補強材７が設置される。補強材７は、長尺状部材であり、例えば、断面がコ字形状やＨ形状を有する溝形鋼である。補強材７の一端部と他端部は、それぞれ第１長尺材５に対して溶接によって接合されている。
【００３５】
また、２本の第２長尺材６の間に、第２長尺材６に対して直交する方向、すなわち第１長尺材５に対して平行方向に複数本の補強材８が設置される。補強材８は、長尺状部材であり、例えば、断面がコ字形状やＨ形状を有する溝形鋼、又は、断面がＬ字形状を有する山形鋼である。補強材８の一端部と他端部は、それぞれ第２長尺材６又は補強材７に対して溶接によって接合されている。
【００３６】
さらに、１本の第１長尺材５と１本の補強材８の間に、第１長尺材５及び補強材８に対して直交する方向、すなわち第２長尺材６及び補強材７に対して平行方向に複数本の補強材９が設置される。補強材９は、長尺状部材であり、例えば、断面がコ字形状やＨ形状を有する溝形鋼、又は、断面がＬ字形状を有する山形鋼である。補強材９の一端部と他端部は、それぞれ第１長尺材５又は補強材８に対して溶接によって接合されている。本実施形態では、１本の第１長尺材５と１本の補強材８の間に、補強材９が第１長尺材５の長さ方向に沿って複数本設置されるのに対して、第２長尺材６の長さ方向の中間部や補強材７の長さ方向の中間部には補強材が設置されない。これにより、台部２の側端部領域における剛性が、台部２の中間部領域の剛性よりも高く、長方形の台部２の長手方向となる第１長尺材５の長さ方向に強度を確保できる構造としている。このため比較的重量の大きい積荷を積載した場合でも台部２の撓み量を低減でき、台部２の各部材の板厚などサイズを下げて軽量化とすることが可能となる。したがって、本実施形態によれば、台部２に対して、比較的重量の大きい火力発電プラントの建設資材である配管や継手等を積載することができる。また、後述する複数の台部２を鉛直上下方向に積層して積荷を輸送する場合に、鉛直上方の台部２の自重と台部２に載置される積荷の荷重を、柱部３を介して鉛直下方の台部２の側端部領域で支持する。そのため、荷重がかかる台部２の側端部領域の剛性をより高めることで、安全性が向上する。
【００３７】
第１長尺材５と第２長尺材６との接続部分における隅部と、第１長尺材５と補強材９との接続部分における隅部とには、板状部材である隅板１０が、台部２の上面側に設置される。隅板１０が第１長尺材５の長さ方向に沿って複数枚設置されることによって、台部２の端部領域における剛性を、台部２の中間部領域の剛性よりも高めることができる。また、隅板１０が、台部２の上面側に設置されていることから、台部２の上面にベニヤ板等の板材を載置することができる。ベニヤ板等の養生用板材上に配管等の建設資材が台部２の部材間で付傷することなく積み付けられる。なお、隅板１０は各隅部に設置してもよいし、積荷の重量や台部２の上面に載置するベニヤ板の大きさなどによって、適宜設置する個数を変更してよい。
【００３８】
第１長尺材５には、長さ方向に沿って複数枚のリブ１１が設置される。リブ１１の板面は、第１長尺材５の長さ方向に対して垂直方向である。これにより、第１長尺材５の曲げ剛性を高めることができ、長手方向に直交する鉛直方向への撓み量を低減できる。また、リブ１１は、例えば、柱部３との接続部分付近や、後述するストッパー１６との接続部分付近により多く配置される。これにより、第１長尺材５において重量を大きく増加することなく荷重がよりかかる領域の剛性をより高めることができる。
【００３９】
柱部３は、台部２の一の側辺において、台部２に対して垂直方向に、例えば４本設置される。柱部３は、台部２に対して着脱可能に接続される。柱部３は、例えば、断面が略四角形形状を有する中空の角形鋼である。柱部３の材料とサイズは、台部２を積層するときの台部２の自重と台部２に載置される積荷の荷重を考慮した強度を有するものが選定される。
【００４０】
柱部３は、予め長さの異なる種類の長いものと短いものを用意しておき、積荷の高さや積載方法等に応じて、異なる長さの種類のうち一つの種類が選択されるようにしてもよい。これにより、鉛直上方に設置される台部２と鉛直下方に設置される台部２の間の高さ距離を限定することなく、台部２の間の高さ距離を積荷の高さや積載方法等に応じて調整することができ、輸送用架台１のより効率的な運用が可能となる。
【００４１】
柱部３の中間部分には、図４から図６に示すように、作業者が手で把持可能な取っ手部２１が設けられてもよい。これによって、長尺状の柱部３の運搬を容易にしたり、柱部３の取り扱いを容易にして落下させるおそれを低減することができる。
【００４２】
また、柱部３と台部２は、例えば、差し込み式の構成を有することによって、互いに容易に着脱可能となっている。
【００４３】
具体的には、図１から図３、図７及び図８に示すように、台部２の一の側辺の外側に、柱部差込口１２が設置される。柱部差込口１２は、鉛直上方及び鉛直下方に開口した凹部であり、柱部３の端部である凸部を挿入できる。柱部差込口１２は、柱部３の断面形状に対応して、四角形状の断面形状を有する。これにより、台部２に対して柱部３を鉛直方向に挿入したり取り外したりすることで、台部２と柱部３とが接続されたり、接続が解除されたりする。柱部差込口１２と柱部３の端部は、例えば柱部３の端部を柱部差込口１２に挿入した状態で柱部差込口１２の周囲から貫通ボルトを締結することによって互いに接合してもよい。なお、柱部３の端部は、凸部の一例である。
【００４４】
なお、本考案は、台部２に凹部が設置される場合に限定されず、台部２側に角形鋼等によって凸部が設置されて、柱部３の内周面に凹部を設けて台部２に設置された凸部に挿入されるようにしてもよい。
【００４５】
また、凸部となる柱部３の端部は、先端側に向けて先細りのテーパー形状を有するようにしてもよいし、凹部となる柱部差込口１２は、開口側が広いテーパー形状を有するようにしてもよい。これにより、台部２に対して柱部３を鉛直方向に挿入するときの位置合わせが容易になる。
【００４６】
柱部差込口１２は、台部２の一の側辺の外側に設置されていることから、台部２の内側に柱部３が設けられることがなく、積荷を載置する積み付けスペースを広く利用できる。
【００４７】
斜材４は、鉛直上方に設置される台部２と柱部３のそれぞれに対して斜め方向に設けられる。これにより、輸送時に生じる振動による台部２のブレを防止して、複数の台部２を鉛直上下方向に積層して積荷を輸送する場合でも台部２同士を確実に固定できる。斜材４は、長尺状部材であり、例えば、断面がＬ字形状を有する山形鋼である。斜材４の一端部と他端部は、それぞれ台部２又は柱部３に対して、ボルトを締結することによって接合されている。なお、本実施形態では、図４から図６に示すように、斜材４の一端部にプレート材１３が溶接で接合されており、プレート材１３が台部２を受け止めて相互がボルトによって接合される。また、柱部３の中間部分にプレート材１４が溶接で接合されており、プレート材１４が斜材４の位置決めをして相互がボルトによって接合される。
【００４８】
斜材４Ａは、一の側辺に対して平行に、すなわち、第１長尺材５に対して平行に設けられる。斜材４Ａの一端部に設けられたプレート材１３は、台部２の一の側辺の外側に設けられた斜材固定材２２と接合される。斜材固定材２２は、１本の柱部３の接続に対して、例えば２箇所設置される。これにより、柱部３の長さを長いものと短いものとに異ならせた場合においても、柱部３の長さに応じて斜材４の適切な固定位置へと変更できる。
【００４９】
また、斜材４Ｂは、他の側辺に対して平行に、すなわち、第２長尺材６に対して平行に設けられる。斜材４Ｂの一端部に設けられたプレート材１３は、台部２の補強材７と接合される。斜材４Ｂも斜材４Ａと同様に、補強材７に図示しない斜材固定材を設けて接合してもよい。斜材４Ａと斜材４Ｂが互いに直交する方向に設置されることにより、輸送時に生じる振動による台部２のブレをより確実に防止できる。
【００５０】
台部２の第１長尺材５の上面には、吊り金具１５が設けられる。吊り金具１５は、一の側辺において例えば４箇所設置される。図１及び図３に示した例では、第１長尺材５の一端側付近の１箇所と、他端側付近の１箇所と、２本の柱部３それぞれの接続部分付近の２箇所の計４箇所に吊り金具１５が設置される。これにより、吊り金具１５に設置されたワイヤを用いて、台部２をクレーン等の楊重装置によって吊り上げる際、積荷状態によって吊り金具１５とワイヤにより吊り重心を適宜調整することができる。なお、吊り金具１５は４箇所以上に設置して吊り重心を更に調整してもよい。
【００５１】
また、図１及び図９に示すように、台部２の第１長尺材５の上面には、吊り金具１５の高さよりも高い基部１７を有する、複数のストッパー１６が設けられる。積荷の輸送を終えて台部２のみを工場へ回送する場合など、柱部３を用いずに複数の台部２を直接に積み重ねて積層する際、基部１７の上面には、別の台部２が載置される。基部１７が予め設けられることによって、吊り金具１５が干渉することがないように、上下の台部２の間にスペースを確保して積み重ねることができ、枕木を挟む必要がなくなる。
【００５２】
さらに、ストッパー１６には、基部１７の上面に位置決めピン１８が設置される。位置決めピン１８は、台部２に対して鉛直上方に突出している。また、台部２の下面には、位置決めピン１８が挿入されるピン用穴１９が形成されている。これにより、台部２の鉛直上方に別の台部２が直接積み重ねて積層されるとき、位置決めピンがピン用穴１９に挿入されて、台部２の位置決めを行うことができ、かつ、複数の台部２が互いに固定されて位置ずれが防止される。
【００５３】
例えばストッパー１６を台部２に４箇所設置される場合、台部２を積み重ねる積層作業は、ストッパー１６の近傍に１人ずつ計４人を配置し、クレーン等の楊重装置によって吊り上げられた台部２を降ろす位置を調整しながら行われる。位置決めピン１８の端部は、先端側に向けて先細りのテーパー形状を有するようにしてもよいし、ピン用穴１９は、開口側が広いテーパー形状を有するようにしてもよい。これにより、鉛直下方の台部２に対して別の台部２を鉛直上方向から積み重ねて積層するときの位置合わせが容易になる。
【００５４】
位置決めピン１８は、複数本（例えば４本）の位置決めピン１８のうち１本が他の位置決めピン１８よりも長くてもよい。これにより、クレーンによって鉛直上方の台部２を積層する際、最初に１番長い位置決めピン１８で位置合わせしておき、その後、残りの位置決めピン１８で位置合わせすることができる。これにより、位置決めピン１８が全て同じ長さを有する場合に比べて、位置合わせが更に容易になる。
【００５５】
位置決めピン１８の鉛直上方には、開閉可能なカバー部（図示せず。）が設置されてもよい。カバー部は、例えば、箱形形状を有し、カバー部が閉鎖しているとき、カバー部が、位置決めピン１８を覆うように設けられる。これにより、台部２の近傍で作業や歩行している作業者等が、位置決めピン１８の先端に誤って触れてしまい負傷するおそれを低減でき、作業の安全性を向上させることができる。
【００５６】
第１長尺材５の上面には、積荷を固縛する際に用いられるラッシング用金具２３が、第１長尺材５の長手方向に沿って複数個設置される。ラッシング用金具２３にベルト等が締結されることによって、固縛された積荷が確実に固定される。
【００５７】
次に、本実施形態に係る輸送用架台による積み付け、輸送及び保管の作用効果について説明する。
本実施形態の輸送用架台１によれば、建設資材等の積荷は、トラック等の輸送手段が到着する前から、台部２に対して積み付けが可能である。すなわち、予め作業の余裕があるときに、台部２に対する積荷の積み付け、固縛作業を行っておくことができる。そして、トラック等の輸送手段が到着したら、積荷が固縛された台部２を、クレーン等の楊重装置によって吊り上げることによって、短時間で、少人数でトラックへの積荷の積載が完了する。なお、建設資材等をトラック等の輸送手段に対して、高所となる荷台で直接積み付け作業を行う場合と比べると、地上に輸送用架台１を置いた状態で台部２に対して積み付けを行うことができるので、足場を容易に確保できて作業の安全性を更に向上するとともに、作業の安全性確保のための追加時間が不要となる。予め台部２に対して積荷を固縛しておけば、輸送前後の積荷の保管時においても、積荷が固縛された台部２を、クレーン等によって吊り上げることによって、積荷の保管場所を容易に変更できる。
【００５８】
また、台部２が複数層にわたって積層されることから、積荷の輸送効率を高めることができる。また、輸送前後の建設資材等の保管時においても、工場や現地において建設資材等が占有する面積を低減でき、省スペース化を図ることができる。
【００５９】
さらに、輸送前に、輸送用架台１を楊重装置によって吊り上げる作業が行われているため、積荷が固縛された台部２において、積荷荷重のアンバランスがないことを吊り上げ作業時に確認できているので、トラック積載の事前に積荷荷重のバランスを確認できる。したがって、トラック積載時の積荷のバランスを保証でき、安全運行が可能になる。
【００６０】
輸送時、例えば、トラック等の車輌では、輸送用架台１は、台部２が１段で、上下に複数の台部２が積層されることなく輸送される場合がある。船舶では、輸送用架台１は、台部２が２段で、上下に複数の台部２が積層されて輸送される場合がある。なお、台部２に積載する積荷の高さが低い場合や平積みが行われている場合は、高さの低い柱部３を用いて、台部２を２段に積層してもよい。この場合、輸送用架台１の高さが低いことから、トラック等の車輌でも、台部２を２段にして輸送を行う機会が増加する。
【００６１】
積荷の輸送後などにおいて、積荷を積載することなく輸送用架台１を工場へ回送する際は、台部２は、柱部３を用いることなく、例えば４段に積層されて輸送される。すなわち、複数の台部２が、柱部３と接続されずに鉛直上下方向に直接に積み重ねて積層された状態とされる。このとき、鉛直上方に載置される台部２は、鉛直下方の台部２に設けられたストッパー１６の位置決めピン１８と、鉛直上方の台部２の下面に設けられたピン用穴１９によって固定され、位置ずれが防止される。
【００６２】
輸送用架台１は、例えば１０ｔ（トン）トラックに積載されることが想定される場合、図１０に示すように、台部２の幅、すなわち、第２長尺材６に対して平行な方向の長さは、トラック３０の荷台３１の両側辺部に設置された床フック３２に干渉しない長さであることが好ましい。床フック３２に干渉しない台部２の長さとは、台部２をトラック３０の荷台３１に積載したとき、床フック３２に台部２が当たらない長さであって、かつ、床フック３２を用いた固縛作業における作業スペース（数１０ｍｍ）に台部２が入らない程度の長さであることが好ましい。また、輸送用架台１の台部２の長さ、すなわち、第１長尺材５に対して平行な方向の長さは、トラック３０の荷台３１の長手方向長さより短い長さである。
【００６３】
また、輸送用架台１は、貨物輸送用船舶４０（例えば内航船）に積載されることが想定される場合、図１１に示すように、台部２の奥行き、すなわち、第１長尺材５に対して平行な方向の長さは、貨物輸送用船舶４０の収容室４１の幅よりも短い長さである。これにより、貨物輸送用船舶４０の収容室４１の幅方向に対して、輸送用架台１の長手方向が平行になるように、輸送用架台１を収容できる。これにより、例えば貨物輸送用船舶４０の収容室４１において、収容室４１の長手方向端部に一又は複数の輸送用架台１を設置することができる。また、収容室４１において、輸送用架台１と並列に、例えば、２つの輸送用架台１の間に、例えばタービン等の大型貨物５０を積載できることから、空きスペースを低減して効率よく積載ができる。
【００６４】
以上、本実施形態によれば、１本の第１長尺材５と１本の補強材８の間に、補強材９が第１長尺材５の長さ方向に沿って複数本設置されることから、台部２の側端部領域における剛性が、台部２の中間部領域の剛性よりも高く、比較的重量の大きい積荷を積載した場合でも台部２の撓み量を低減でき、台部２の各部材の板厚などサイズを下げて軽量化とすることが可能となる。
【００６５】
したがって、台部２に対して、比較的重量の大きい火力発電プラントの建設資材である配管や継手等を積載することができる。また、複数の台部２を鉛直上下方向に積層して積荷を輸送する場合に、鉛直上方の台部２の自重と台部２に載置される積荷の荷重を、柱部３を介して鉛直下方の台部２の側端部領域で支持するため、荷重がかかる側端部領域の剛性をより高めることができる。
【００６６】
また、陸上輸送時において、トラックの到着前に時間に余裕があるときに積み付け作業が事前に対応することができ、トラックの到着までの作業者の待ち時間を低減できることから、作業効率が向上する。また、船舶輸送時や、高さが低い積荷の際の陸上輸送時には、台部２を積層して２段の台部２で積荷を輸送できることから、輸送効率を向上させることができる。さらに、工場や現地での建設資材の保管時においても、台部２を積層しておくことで、建設資材の占有スペースを低減できる。またさらに、積荷を載置せず輸送用架台１を回送するとき、柱部３を用いずに、例えば４段に台部２を積み重ねて積層することができ、回送回数を減らして、輸送コストを低減できる。
【００６７】
上記実施形態において、柱部３が、台部２に対して着脱可能な構成を有する場合について説明したが、本考案はこの構成に限定されない。すなわち、柱部３が台部２に対して回動自在にピン（図示せず。）によって接合されてもよい。これにより、ピンの軸周りに柱部３が回動することによって、柱部３を第１長尺材５と同一面に収納できる。これにより、柱部３の着脱作業が不要になり、作業の効率化を図ることができる。また、柱部を取り外さないので柱部の別保管も不要となる。
【００６８】
また、上述した実施形態において、斜材４が、柱部３に対して着脱可能な構成を有する場合について説明したが、本考案はこの構成に限定されない。すなわち、斜材４が柱部３に対して回動自在にピン（図示せず。）によって接合されてもよい。これにより、ピンの軸周りに斜材４が回動することによって、斜材４を柱部３と同一面に収納できる。これにより、斜材４の着脱作業が不要になり、作業の効率化を図ることができる。また、斜材を取り外さないので斜材の別保管も不要となる。
【符号の説明】
【００６９】
１    ：輸送用架台
２    ：台部
３    ：柱部
４    ：斜材
４Ａ  ：斜材
４Ｂ  ：斜材
５    ：第１長尺材
６    ：第２長尺材
７    ：補強材
８    ：補強材
９    ：補強材
１０  ：隅板
１１  ：リブ
１２  ：柱部差込口
１３  ：プレート材
１４  ：プレート材
１５  ：吊り金具
１６  ：ストッパー
１７  ：基部
１８  ：位置決めピン
１９  ：ピン用穴
２１  ：取っ手部
２２  ：斜材固定材
２３  ：ラッシング用金具
３０  ：トラック（車輛）
３１  ：荷台
３２  ：床フック
４０  ：貨物輸送用船舶
４１  ：収容室
５０  ：大型貨物
【図１】
0003210241.tif 000003
【図２】
0003210241.tif 000004
【図３】
0003210241.tif 000005
【図４】
0003210241.tif 000006
【図５】
0003210241.tif 000007
【図６】
0003210241.tif 000008
【図７】
0003210241.tif 000009
【図８】
0003210241.tif 000010
【図９】
0003210241.tif 000011
【図１０】
0003210241.tif 000012
【図１１】
0003210241.tif 000013